【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段が操作された場合に遊技設定を変更可能な遊技設定変更手段と、
遊技に係る演出表示が可能な表示手段と、
前記表示手段を制御する表示制御手段と、
遊技の進行に応じて成立するカウント対象をカウント可能なカウント手段と、
前記カウント手段によるカウント値が所定値に達した場合に遊技者に特典を付与可能な特典付与手段と、
を備えた遊技機において、
前記表示制御手段は、
前記カウント手段によるカウント値に応じて有利情報を表示可能な有利情報表示制御手段と、
遊技停止中である旨の判定条件を満たした場合にデモ演出を表示可能なデモ演出表示制御手段と、
前記操作手段が操作された場合に遊技に関する変更情報を表示可能な変更情報表示制御手段と、を備え、
前記有利情報表示制御手段は、
（１）遊技中、（２）遊技停止中、（３）デモ演出表示中、のそれぞれの期間中において前記有利情報を表示制御可能であり、かつ、いずれの期間中に前記有利情報を表示させる場合であっても、前記操作手段の操作を表示開始契機としない、
ことを特徴とする遊技機。
【請求項２】
前記カウント手段は、
少なくとも２以上のカウント対象を個別にカウント可能であり、
前記有利情報表示制御手段は、
前記２以上のカウント対象をカウントしたカウント値のうち少なくともいずれかに関する有利情報を表示制御可能である、
ことを特徴とする請求項１に記載の遊技機。
【請求項３】
前記カウント対象は、
少なくとも遊技の進行に応じて加算されるポイントを含む、
ことを特徴とする請求項１または２に記載の遊技機。
【請求項４】
前記カウント対象は、
少なくとも前回の大当りから起算した遊技回数を含む、
ことを特徴とする請求項１〜３のいずれかに記載の遊技機。
【請求項５】
前記有利情報は、
前記カウント値に応じた数値情報表示部と、
前記数値情報表示部の近傍に配置された数値情報関連表示部と、を含み、
前記有利情報表示制御手段は、
遊技中に前記有利情報を表示させる場合と、デモ演出表示中に前記有利情報を表示させる場合のいずれにおいても前記数値情報表示部の表示態様を共通とし、
遊技中に前記有利情報を表示させる場合と、デモ演出表示中に前記有利情報を表示させる場合とで前記数値情報関連表示部の表示態様を異ならせる、
ことを特徴とする請求項１〜４のいずれかに記載の遊技機。
【請求項６】
前記有利情報表示制御手段は、
遊技中に前記有利情報を表示させる場合、前記数値情報表示部と前記数値情報装飾部を表示させ、
デモ演出表示中に前記有利情報を表示させる場合、前記数値情報表示部のみを表示させる、
ことを特徴とする請求項５に記載の遊技機。
【請求項７】
遊技停止中に前記有利情報が表示されている場合において、
前記操作手段による所定操作が行われると、当該有利情報を非表示とする、
ことを特徴とする請求項１〜６のいずれかに記載の遊技機。
【手続補正２】
【補正対象書類名】明細書
【補正対象項目名】０００４
【補正方法】変更
【補正の内容】
【０００４】
上述した設定値の情報に限らず、大当りに繋がる情報（第１有利情報）、大当りに繋がらずとも遊技性の幅を広げ得る情報（第２有利情報）、大当りにつながらずとも個人的観測（経験則）によって重要視する情報（第３有利情報）などが遊技者にとって重要な情報である。殊更これから遊技しようとする遊技台を選択中の遊技者にとっては、斯様な情報を早急に確認可能であることが好ましい。しかし、有利情報の確認に所定の工程を必要とする場合、遊技台を選択中の遊技者にストレスを与えるばかりか、空き台の隣で遊技中の遊技者も頻繁に隣の台でボタン操作されることによってストレスを受け、遊技意欲が減退してしまう恐れがある。
【手続補正３】
【補正対象書類名】明細書
【補正対象項目名】０００５
【補正方法】変更
【補正の内容】
【０００５】
そこで本発明の目的は、遊技者が有益と感じうる情報を適切に現出して、遊技者の遊技興趣の減退を防止しうる遊技機を提供することにある。
【手続補正４】
【補正対象書類名】明細書
【補正対象項目名】０００６
【補正方法】変更
【補正の内容】
【０００６】
（イ）本発明は、遊技者が操作可能な操作手段と、
前記操作手段が操作された場合に遊技設定を変更可能な遊技設定変更手段と、
遊技に係る演出表示が可能な表示手段と、
前記表示手段を制御する表示制御手段と、
遊技の進行に応じて成立するカウント対象をカウント可能なカウント手段と、
前記カウント手段によるカウント値が所定値に達した場合に遊技者に特典を付与可能な特典付与手段と、
を備えた遊技機において、
前記表示制御手段は、
前記カウント手段によるカウント値に応じて有利情報を表示可能な有利情報表示制御手段と、
遊技停止中である旨の判定条件を満たした場合にデモ演出を表示可能なデモ演出表示制御手段と、
前記操作手段が操作された場合に遊技に関する変更情報を表示可能な変更情報表示制御手段と、を備え、
前記有利情報表示制御手段は、
（１）遊技中、（２）遊技停止中、（３）デモ演出表示中、のそれぞれの期間中において前記有利情報を表示制御可能であり、かつ、いずれの期間中に前記有利情報を表示させる場合であっても、前記操作手段の操作を表示開始契機としない、ことを特徴とする。
（ロ）また本発明は、上記（イ）に加え、前記カウント手段は、
少なくとも２以上のカウント対象を個別にカウント可能であり、
前記有利情報表示制御手段は、
前記２以上のカウント対象をカウントしたカウント値のうち少なくともいずれかに関する有利情報を表示制御可能である、ことを特徴とする。
（ハ）また本発明は、上記（イ）または（ロ）に加え、前記カウント対象は、
少なくとも遊技の進行に応じて加算されるポイントを含む、ことを特徴とする。
（ニ）また本発明は、上記（イ）〜（ハ）に加え、前記カウント対象は、
少なくとも前回の大当りから起算した遊技回数を含む、ことを特徴とする。
（ホ）また本発明は、上記（イ）〜（ニ）に加え、前記有利情報は、
前記カウント値に応じた数値情報表示部と、
前記数値情報表示部の近傍に配置された数値情報関連表示部と、を含み、
前記有利情報表示制御手段は、
遊技中に前記有利情報を表示させる場合と、デモ演出表示中に前記有利情報を表示させる場合のいずれにおいても前記数値情報表示部の表示態様を共通とし、
遊技中に前記有利情報を表示させる場合と、デモ演出表示中に前記有利情報を表示させる場合とで前記数値情報関連表示部の表示態様を異ならせる、ことを特徴とする。
（へ）また本発明は、上記（ホ）に加え、前記有利情報表示制御手段は、
遊技中に前記有利情報を表示させる場合、前記数値情報表示部と前記数値情報装飾部を表示させ、
デモ演出表示中に前記有利情報を表示させる場合、前記数値情報表示部のみを表示させる、ことを特徴とする。
（ト）また本発明は、上記（イ）〜（へ）に加え、遊技停止中に前記有利情報が表示されている場合において、
前記操作手段による所定操作が行われると、当該有利情報を非表示とする、ことを特徴とする。
【手続補正５】
【補正対象書類名】明細書
【補正対象項目名】０００７
【補正方法】変更
【補正の内容】
【０００７】
本発明によれば、遊技者の遊技興趣の減退を防止しうる。